(57)【要約】【課題】ユーザの所望とする適切なAWB（Auto White Balance）ロックを実現できるようにする。【解決手段】AWBロックを掛けるためのシャッタボタンの設定として、シャッタ半押し、連写中、または、オフの状態のいずれかを選択して設定できるようにする。また、カスタムボタンにAWBLボタンを割り付けるように設定して、押す間操作、または再押し操作のいずれかでAEBロックを掛けられるようにする。本開示は、撮像装置に適用することができる。【選択図】図１０
2020108057.tif 000002
【特許請求の範囲】
【請求項１】
撮像に係る操作の入力を受け付ける操作部材と、
前記操作部材への所定の操作によりAWB（Auto White Balance）ロックを動作させるように設定する設定部と
を備える撮像装置。
【請求項２】
前記操作部材は、シャッタボタンである
請求項１に記載の撮像装置。
【請求項３】
前記所定の操作は、前記シャッタボタンの半押し操作である
請求項２に記載の撮像装置。
【請求項４】
前記所定の操作は、前記シャッタボタンによる連写操作である
請求項２に記載の撮像装置。
【請求項５】
前記所定の操作は、前記シャッタボタンの半押し操作、および前記シャッタボタンによる連写操作を含み、
前記設定部は、前記AWBロックを、前記シャッタボタンの半押し操作により受け付ける第１のシャッタボタン操作モード、前記シャッタボタンによる連写操作により受け付ける第２のシャッタボタン操作モード、および前記シャッタボタンの操作からは受け付けない第３のシャッタボタン操作モードを切り替えて設定する
請求項２に記載の撮像装置。
【請求項６】
前記設定部は、前記第１のシャッタボタン操作モード乃至前記第３のシャッタボタン操作モードを選択する設定画像を表示し、前記設定画像のうち選択されたシャッタボタン操作モードに切り替えて設定する
請求項５に記載の撮像装置。
【請求項７】
前記操作部材は、AWBロックを動作させる機能が割り付けられたカスタムボタンである
請求項１に記載の撮像装置。
【請求項８】
前記所定の操作は、前記カスタムボタンを全押し操作している間について、前記AWBロックを動作させる押す間操作である
請求項７に記載の撮像装置。
【請求項９】
前記所定の操作は、前記カスタムボタンが１回目の全押し操作がなされた後、操作が解除されたタイミングから、前記カスタムボタンが２回目の全押し操作がなされた後、操作が解除されたタイミングまでの間について、前記AWBロックを動作させる再押し操作である
請求項７に記載の撮像装置。
【請求項１０】
前記設定部は、前記カスタムボタンを全押し操作している間について、前記AWBロックを動作させる押す間操作を受け付ける第１のカスタムボタン操作モード、および前記カスタムボタンが１回目の全押し操作がなされた後、操作が解除されたタイミングから、前記カスタムボタンが２回目の全押し操作がなされた後、操作が解除されたタイミングまでの間について、前記AWBロックを動作させる再押し操作を受け付ける第２のカスタムボタン操作モードを切り替えて設定する
請求項７に記載の撮像装置。
【請求項１１】
前記設定部は、前記第１のカスタムボタン操作モードおよび前記第２のカスタムボタン操作モードを選択する設定画像を表示し、前記設定画像のうち選択されたカスタムボタン操作モードに切り替えて設定する
請求項１０に記載の撮像装置。
【請求項１２】
撮像された画像をライブビュー表示する表示部をさらに含み、
前記表示部は、前記カスタムボタンが操作されることにより、前記AWBロックが動作する場合、前記AWBロックが動作している状態であることを示す情報を表示する
請求項７に記載の撮像装置。
【請求項１３】
前記表示部は、前記カスタムボタンが操作されることにより、前記AWBロックが動作する場合、前記AWBロックが動作している状態であることを示すアイコンを表示する
請求項１２に記載の撮像装置。
【請求項１４】
画像を撮像する撮像部と、
前記撮像部により撮像された前記画像を解析し、解析結果に基づいてAWB調整値を算出するAWB調整値算出部と、
前記AWB調整値算出部により算出された前記AWB調整値を順次更新して記憶し、記憶した前記AWB調整値に基づいて、前記画像に対してAWBを掛けるAWB調整部とをさらに含み、
前記AWB調整部は、前記AWBロックがオンにされる場合、前記撮像部により前記画像が撮像される度に、前記AWB調整値算出部により算出された前記AWB調整値の更新を停止し、更新が停止される直前に記憶した前記AWB調整値に基づいて、前記画像に対してAWBを掛ける
請求項７に記載の撮像装置。
【請求項１５】
前記AWB調整部は、前記カスタムボタンが操作されることにより、前記AWBロックがオンにされる場合、既に前記AWBロックが掛けられていても、前記カスタムボタンが操作されたタイミングにおいて、前記撮像部により撮像された前記画像に基づいて、前記AWB調整値算出部により算出された前記AWB調整値により、記憶している前記AWB調整値を更新した後、前記AWB調整値の更新を停止し、更新が停止される直前に記憶した前記AWB調整値に基づいて、前記画像に対してAWBを掛ける
請求項１４に記載の撮像装置。
【請求項１６】
前記所定の操作は、通信により接続された外部機器からの操作信号を含む
請求項１に記載の撮像装置。
【請求項１７】
前記外部機器は、
UI（User Interface）画像を表示する表示部と、
前記UI画像に対する操作入力を受け付ける操作部とを含み、
前記UIは、前記操作部材に対応付けられた操作ボタンを表示し、
前記UI上に表示された操作ボタンに対する操作内容に応じて、前記AWBロックが制御される
請求項１６に記載の撮像装置。
【請求項１８】
前記UI上に表示された操作ボタンに対して、１回目の操作がなされたタイミングから前記AWBロックがオンの状態にされ、２回目の操作がなされたタイミングにおいて、前記AWBロックがオフの状態に制御される
請求項１７に記載の撮像装置。
【請求項１９】
撮像に係る操作の入力を受け付ける操作部材への所定の操作によりAWB（Auto White Balance）ロックを動作させるように設定する設定部と
AWBロックを設定する設定処理
を含む撮像方法。
【請求項２０】
撮像に係る操作の入力を受け付ける操作部材と、
前記操作部材への所定の操作によりAWB（Auto White Balance）ロックを動作させるように設定する設定部と
してコンピュータを機能させるプログラム。
【発明の詳細な説明】
【技術分野】
【０００１】
本開示は、撮像装置および撮像方法、並びにプログラムに関し、特に、ユーザの所望とする適切なAWB（Auto White Balance）ロックを実現できるようにした撮像装置および撮像方法、並びにプログラムに関する。
【背景技術】
【０００２】
撮像装置には、撮像する画像のホワイトバランスを調整するホワイトバランス調整機能が設けられている。
【０００３】
ホワイトバランス調整機能は、一般に、予め設定された特定の光源に応じたホワイトバランスを調整するプリセットホワイトバランスモードと、画像全体の光の状態に基づいてホワイトバランスを調整するオートホワイトバランスモードとの２種類の動作モードがある。
【０００４】
ホワイトバランスには、このような２種類の動作モードや、プリセットされた、いずれの光源に対するホワイトバランスを調整するのか等、機能を実現させる上で、様々な設定が必要とされる。
【０００５】
このため、ホワイトバランス調整機能を実現させる上で、必要とされる様々な設定をするための構成が必須とされる。
【０００６】
そこで、ホワイトバランス調整機能を実現する上で、必要な設定を行うための技術が提案されている（特許文献１参照）。
【先行技術文献】
【特許文献】
【０００７】
【特許文献１】特開２００２−２９０８１３号公報
【発明の概要】
【発明が解決しようとする課題】
【０００８】
ところで、オートホワイトバランスモードでホワイトバランス調整を行う場合（以降、単にAWBの場合とも称する）、画像全体の光の状態に基づいた調整がなされるため、モニタに表示されるライブビュー画像は、画像の変化に応じて、頻繁に色温度が変化し続ける。
【０００９】
ところが、ユーザが、構図を変化させながら、モニタに表示されるライブビュー画像で、変化する色温度を見ながら所望とする色温度を探索し、所望とする色温度となったタイミングでAWBによる色温度の変化を停止させるようにロック（以降において、AWBロックと称する）させることができなかった。
【００１０】
そこで、ユーザが、シャッタボタンを半押し操作するときに、オートフォーカスによるフォーカスロックやオートエクスポージャによるエクスポージャロックと同様に、AWBにもロックを掛けることが考えられる。
【００１１】
しかしながら、構図を変化させながら、AWBによる色温度の変化を確認することで、所望とする色温度を探索することも考えられる。
【００１２】
このときには、シャッタボタンの半押し操作でAWBロックが同時に掛かってしまうことで、色温度の変化を確認しながら構図を変化させて、所望とする色温度を探索するようなことができなくなる。
【００１３】
本開示は、このような状況に鑑みてなされたものであり、特に、操作部材と、操作部材に対する操作内容とに応じた、AWBロックの動作を設定できるようにすることで、ユーザの所望とする適切なAWBロックを実現できるようにするものである。
【課題を解決するための手段】
【００１４】
本開示の一側面の撮像装置は、撮像に係る操作の入力を受け付ける操作部材と、前記操作部材への所定の操作によりAWB（Auto White Balance）ロックを動作させるように設定する設定部とを備える撮像装置である。
【００１５】
本開示の一側面の撮像方法およびプログラムは、本開示の一側面の撮像装置に対応する。
【００１６】
本開示の一側面においては、撮像に係る操作の入力を受け付ける操作部材への所定の操作によりAWB（Auto White Balance）ロックが動作されるように設定される。
【図面の簡単な説明】
【００１７】
【図１】ホワイトバランス調整を説明する図である。
【図２】AWBを一時的に固定させたいケース（その１）を説明する図である。
【図３】AWBを一時的に固定させたいケース（その２）を説明する図である。
【図４】AWBを一時的に固定させたいケース（その３）を説明する図である。
【図５】本開示を適用した第１の実施の形態の撮影装置の外観構成例を示す正面図である。
【図６】図５の撮影装置の外観構成例を示す背面図である。
【図７】図５の撮影装置の外観構成例を示す上面図である。
【図８】図５の撮影装置のハードウェア構成例を示すブロック図である。
【図９】AWBロックの種別を説明する図である。
【図１０】シャッタAWBロック設定処理を説明するフローチャートである。
【図１１】シャッタAWBロック設定処理に係る設定画面を説明する図である。
【図１２】カスタムボタン設定処理を説明するフローチャートである。
【図１３】カスタムボタン設定処理に係る設定画面を説明する図である。
【図１４】AWB調整処理を説明するフローチャートである。
【図１５】詳細表示モードにおける表示例を説明する図である。
【図１６】通常表示モードにおける表示例を説明する図である。
【図１７】AWBL制御処理を説明するフローチャートである。
【図１８】シャッタAWBL制御処理を説明するフローチャートである。
【図１９】カスタムボタンAWBL制御処理を説明するフローチャートである。
【図２０】動作例（その１）を説明するタイミングチャートである。
【図２１】動作例（その２）を説明するタイミングチャートである。
【図２２】本開示を適用した第２の実施の形態の撮像システムの構成例を説明する図である。
【図２３】図２２のＰＣのハードウェア構成例を示すブロック図である。
【図２４】UI画像の表示例を説明する図である。
【図２５】２つのAWBLボタンが設定された場合の動作を説明する図である。
【図２６】汎用のパーソナルコンピュータの構成例を説明する図である。
【発明を実施するための形態】
【００１８】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１９】
また、以下の順序で説明を行う。
１．本開示の概要
２．第１の実施の形態
３．第２の実施の形態
４．ソフトウェアにより実行させる例
【００２０】
＜＜１．本開示の概要＞＞
＜ホワイトバランス調整機能＞
本開示は、操作部材と、操作部材に対する操作内容とに応じて、AWB（Auto White Balance）ロックに係る動作を設定できるようにするものである。
【００２１】
本開示の撮像装置の概要を説明するにあたって、まず、ホワイトバランス調整機能について説明する。
【００２２】
ホワイトバランス調整機能は、カメラ等の撮像装置が搭載する、色調（色温度）を補正する機能である。
【００２３】
より詳細には、ホワイトバランス調整機能は、予め設定された太陽光、白熱灯、蛍光灯、フラッシュ等異なる光源の下で変化する白色を、適確な白さに写せるように色調を補正するものである。
【００２４】
ホワイトバランス調整機能には、プリセットの光源に対する補正を行うプリセットホワイトバランス、撮像される画像全体の状態に応じて、白さを調整するオートホワイトバランス等があり、この他にも、ユーザが手動で設定するマニュアルホワイトバランスなどがある。
【００２５】
例えば、図１の画像Ｐ１で示されるように、競馬場で、競走馬が疾走するシーンを撮像するような場合、撮像中の光源は、太陽光でほぼ一定となるため、太陽光を光源とするプリセットホワイトバランスが適切である。
【００２６】
また、例えば、図１の画像Ｐ２で示されるように、屋内で猫が佇むシーンを撮像するような場合、撮像中の光源は、屋内でほぼ一定となり、また、被写体である猫の色温度はある程度特定できるため、ユーザが設定する色温度を用いたプリセットホワイトバランスが適切である。
【００２７】
一方、図１の画像Ｐ３で示されるように、教会などでの結婚式のシーンを撮像するような場合、背景の窓Ｗ１乃至Ｗ３から室内に差し込む太陽光や室内にできる影などの影響により、撮像する方向や窓Ｗ１乃至Ｗ３から光の入り込み方などで、色温度が様々に変化する。
【００２８】
このような場合、状況に応じて、光源の変化に合わせてプリセットホワイトバランスなどを切り替えて用いるよりも、固定された光源ではないので、画像全体の状況に応じたオートホワイトバランスが適切である。
【００２９】
本開示の撮像装置は、オートホワイトバランスによるホワイトバランス調整機能をユーザが所望とするように適切に実現させるものである。以降において、オートホワイトバランスによるホワイトバランス調整機能を、単に、AWB（Auto White Balance）とも称する。
【００３０】
＜AWBを一時的に固定させたいケース（その１）＞
AWBは、図２の画像Ｐ１３で示されるように、撮像される画像全体の状態に応じて変化するため、撮像環境における光の変化や、構図の変化に応じた光の変化により、頻繁に変化する。
【００３１】
図２の画像Ｐ１３は、図１の画像Ｐ３に対応する教会などでの結婚式のシーンを撮像した画像であり、撮像装置を使用するユーザが教会内を移動して構図を変化させたり、窓Ｗ１乃至Ｗ３より入射する太陽光の変化などにより色温度が頻繁に変化する。
【００３２】
すなわち、画像Ｐ１３の下部で示されるように、時系列に撮像される画像Ｐｔ１乃至Ｐｔｎは、色温度が頻繁に変化する。
【００３３】
尚、図２の画像Ｐ１３の下部においては、画像Ｐ１３が撮像されるときの色温度を画像Ｐｔ１乃至Ｐｔｎの色の濃度で表現している。図２の画像Ｐ１３の下部においては、時系列に画像Ｐｔ１乃至Ｐｔｎの色温度が変化している様子が表現されている。
【００３４】
この場合、同一のシーンを時系列に撮像したにもかかわらず、時系列に撮像された画像Ｐｔ１乃至Ｐｔｎの色温度は一定ではないため、色味が変わってしまう。
【００３５】
このように、同一のシーンを時系列に撮像するような場合においては、ユーザが所望とする色温度の画像が撮像されたタイミングで、図２の画像Ｐ１３’の下部の画像Ｐｔ１０１乃至Ｐｔｍで示されるように、AWBをロックさせ、画角や光が変化しても、一時的に色温度を固定させたいというケースがある。
【００３６】
＜AWBを一時的に固定させたいケース（その２）＞
また、図３の画像Ｐ１２は、図１の画像Ｐ２に対応する屋内で猫が佇むシーンを撮像した画像であり、撮像装置を使用するユーザが被写体である猫に対してフォーカスロックを掛けた状態でアングル（構図）を変化させて、画像Ｐ１２’を撮像することを想定している。
【００３７】
図３の画像Ｐ１２で示されるように、被写体である猫に対してフォーカスロックを掛けた状態で、アングル（構図）を変化させて画像Ｐ１２’を撮像する際、AWBが機能すると、図３の中段で示されるように、画像Ｐ１２，Ｐ１２’の色温度が変化する。
【００３８】
このように、ユーザが撮像したいフォーカスロックを掛けたシーンにおいて、AWBもロックさせて、図３の下段で示されるように、画像Ｐ１２，Ｐ１２’の色温度を固定させ、この状態で構図だけを調整したいというケースがある。
【００３９】
＜AWBを一時的に固定させたいケース（その３）＞
さらに、図４の画像Ｐ１１は、図１の画像Ｐ１に対応する競馬場で、競走馬が疾走するシーンを撮像した画像であり、撮像装置を使用するユーザが被写体である競走馬の動きに合わせてアングルを変化させながら連写して、画像Ｐ１１’を撮像することを想定している。
【００４０】
図４の画像Ｐ１１で示されるように、被写体である競走馬の疾走状態に追従してアングルを変化させながら連写して画像Ｐ１１’を撮像する際、AWBが機能すると、図４の中段で示されるように、画像Ｐ１１，Ｐ１１’の色温度が変化する。
【００４１】
すなわち、このような場合、連写された画像における色味が変化してしまうので、連写が開始されてからは、AWBをロックさせて、図４の下段で示されるように、同一の色温度が維持されるようにしたいというケースがある。
【００４２】
このように、図２の教会内の新婚夫妻が時系列に撮像される単写、図３のフォーカスロックされた状態での構図が変化して撮像される単写、および図４の屋外における連写など、AWBを固定させたいシーンは様々に存在する。
【００４３】
本開示においては、撮像装置に設けられた操作部材と、操作部材に対する操作内容とに応じて、AWBロックが掛けられる状況を様々に変化させて設定できるようにすることで、ユーザが所望とする様々な状況に対して、適切なAWBロックを実現できるようにする。
【００４４】
＜＜２．第１の実施の形態＞＞
次に、本開示の撮像装置の構成例について説明する。
【００４５】
図５乃至図７は、本開示を適用した撮像装置の第１の実施の形態の外観構成例を示す図である。図５は、撮像装置の正面図であり、図６は、撮像装置の背面図であり、図７は、撮像装置の上面図である。
【００４６】
なお、本明細書において、撮像装置のレンズが配置される面を正面といい、正面と対向する面を背面という。また、正面および背面に垂直な方向を奥行き方向という。
【００４７】
図５に示すように、撮像装置１０の正面には、被写体から見て右側中央にレンズ１０Ａが配置される。レンズ１０Ａは、被写体からの光を集光する。
【００４８】
また、図５乃至図７で示されるように、撮像装置１０の上面には、被写体から見て左側にシャッタボタン１１が配置される。シャッタボタン１１は、撮像を行うときに全押し操作される。
【００４９】
また、シャッタボタン（レリーズボタン）１１は、画像内の既定領域（例えば、画像の中央の領域、奥行き方向の位置が最も撮像装置１０に近い被写体の領域など）にピントを合わせる（合焦させる）ときに、半押し操作される。
【００５０】
さらに、シャッタボタン１１には、図７に示すように、電源ボタン１１Ａが付加されている。電源ボタン１１Ａは、撮像装置１０の電源をオンにするときに操作される。
【００５１】
図５乃至図７に示すように、撮像装置１０の上面にはまた、被写体から見てシャッタボタン１１の右側にモードダイヤル１２が配置され、左側にカスタムボタン１３が配置される。モードダイヤル１２は、撮像モードを選択するときに操作される。カスタムボタン１３は、ユーザが所望の機能を割り当て可能なボタンである。
【００５２】
図５および図７に示すように、撮像装置１０の正面には、被写体から見てレンズ１０Ａの左上側に前ダイヤル１４が配置される。前ダイヤル１４は、例えば、シャッタスピードを調整するときに操作される。
【００５３】
図５に示すように、撮像装置１０の正面には、レンズ１０Ａに隣接してレンズロックボタン１５が配置される。レンズロックボタン１５は、レンズ１０Ａを撮像装置１０から取り外すときに操作される。
【００５４】
図６に示すように、撮像装置１０の背面には、被写体に向かって左上側にメニューボタン１６が配置される。メニューボタン１６は、メニュー画面を表示させるときに押下される。
【００５５】
また、図６に示すように、撮像装置１０の背面のメニューボタン１６の被写体に向かって右上側には、ファインダ１７が配置され、ファインダ１７の被写体に向かって右側には、視度調整ダイヤル１７Ａが配置される。ファインダ１７は、撮像時に被写体を確認するための液晶パネルである。
【００５６】
視度調整ダイヤル１７Ａは、ファインダ１７の度数を調整するときに操作される。ユーザは、ファインダ１７に表示される画像が見やすくなるように視度調整ダイヤル１７Ａを操作する。これにより、ユーザの視力に合った画像がファインダ１７に表示される。
【００５７】
図６および図７に示すように、撮像装置１０の背面のファインダ１７の被写体に向かって右下側には、カスタムボタン１８が配置され、カスタムボタン１８の被写体に向かって右側には後ダイヤル１９が配置される。
【００５８】
カスタムボタン１８は、カスタムボタン１３と同様に、ユーザが所望の機能を割り当て可能なボタンである。後ダイヤル１９は、例えば、絞り値を調整するときに操作される。
【００５９】
図６に示すように、撮像装置１０の背面の後ダイヤル１９の被写体に向かって右下側には、録画ボタン２０が配置される。録画ボタン２０は、動画を撮像するときに押下される。
【００６０】
また、図６に示すように、撮像装置１０の背面のカスタムボタン１８の下側には、ＡＥＬボタン２１が配置され、ＡＥＬボタン２１の下側にはＦｎボタン２２が配置される。
【００６１】
ＡＥＬボタン２１は、例えば、画面全体の露出を固定するときに押下される。Ｆｎボタン２２は、各種の撮像に関する機能を設定する設定画面を表示するときに押下される。
【００６２】
図６に示すように、撮像装置１０の背面のＦｎボタン２２の下には十字キー２３が配置される。十字キー２３は、上のボタン２３Ａ、下のボタン２３Ｂ、左のボタン２３Ｃ、右のボタン２３Ｄ、および中央のボタン２３Ｅにより構成される。
【００６３】
十字キー２３のボタン２３Ａ乃至２３Ｄは、それぞれ、液晶モニタ２６に表示されたメニュー画面や設定画面内のカーソル等を上下左右に移動させるときに押下される。
【００６４】
中央のボタン２３Ｅは、例えば、液晶モニタ２６に表示されたメニュー画面や設定画面において決定を指示するときに押下される。
【００６５】
図６に示すように、撮像装置１０の背面の十字キー２３の被写体に向かって左下側には再生ボタン２４が配置され、右下側には削除ボタン２５が配置される。
【００６６】
再生ボタン２４は、撮像画像を再生するときに押下される。削除ボタン２５は、液晶モニタ２６に表示された撮像画像を削除するときに押下される。
【００６７】
図６に示すように、撮像装置１０の背面の被写体に向かって左側には、液晶モニタ２６が配置される。液晶モニタ２６には、メニュー画面や設定画面、撮像画像等が表示される。
【００６８】
＜撮像装置のハードウェア構成例＞
図８は、撮像装置１０のハードウェア構成例を示すブロック図である。
【００６９】
図８の撮像装置１０は、光学系４１、イメージセンサ４２、画像処理部４３、圧縮処理部４４、メディア制御部４５、記録メディア４６、合焦制御部４８、およびマイクロコンピュータ４７を有する。また、撮像装置１０は、合焦制御部４８、アクチュエータ４９、表示部５０、メモリ５１、操作部５２、および通信部５３を有する。
【００７０】
具体的には、光学系４１とイメージセンサ４２は、取得部として機能し、画像を取得する。より詳細には、光学系４１は、レンズ１０Ａ、図示せぬ絞りなどにより構成される。光学系４１は、被写体からの光をイメージセンサ４２に集光させる。光学系４１は、アクチュエータ４９により駆動される。
【００７１】
イメージセンサ４２は、レンズ１０Ａにより集光された光を画素単位で光電変換し、画像の各画素のアナログ信号である電気信号を取得する。また、イメージセンサ４２は、光学系４１により集光された光に基づいて、１以上の画素からなる検出単位で、画像の合焦面からのずれ量を表す位相差情報を取得する。イメージセンサ４２は、各画素の電気信号を画像処理部４３に供給し、位相差情報を合焦制御部４８に供給する。
【００７２】
画像処理部４３は、イメージセンサ４２から供給される画像の各画素の電気信号に対してA/D変換等の画像処理を行う。画像処理部４３は、その結果得られる画像の各画素のデジタルデータである画像データとして、圧縮処理部４４とマイクロコンピュータ４７に供給する。
【００７３】
圧縮処理部４４は、必要に応じて、画像処理部４３から供給される画像データを圧縮する。圧縮処理部４４は、圧縮後の画像データをメディア制御部４５に供給する。
【００７４】
メディア制御部４５は、記録メディア４６を制御し、圧縮処理部４４から供給される圧縮後の画像データを記録メディア４６に記録させる。このように、イメージセンサ４２により画像が取得されて圧縮され、圧縮後の画像データが記録される処理を、撮像という。記録メディア４６は、メディア制御部４５の制御により、圧縮後の画像データを記録する。
【００７５】
マイクロコンピュータ４７は、撮像装置１０の各部を制御する。例えば、マイクロコンピュータ４７は、操作信号に基づいて、表示部５０の液晶モニタ２６にメニュー画面や設定画面を表示させたり、表示部５０に画像処理部４３からの画像データに基づく画像を表示させたりする。
【００７６】
また、マイクロコンピュータ４７は、画像処理部４３からの画像データを解析して、ホワイトバランスを調整し、ホワイトバランスが調整された画像を表示部５０に表示すると共に、画像処理部４３に出力する。したがって、画像処理部４３は、マイクロコンピュータ４７によりホワイトバランスが調整された画像の画像データを圧縮処理部４４に出力する。
【００７７】
また、マイクロコンピュータ４７は、画像解析部７１、AWB調整部７２、WB制御部７３、および設定部７４を備えている。
【００７８】
画像解析部７１は、画像処理部４３より供給される画像データに基づいて、画像を解析し、RGBのそれぞれのデジタルデータから光源色を推定し、推定結果をAWB調整部７２に出力する。
【００７９】
AWB調整部７２は、画像解析部７１により推定された光源色に基づいて、ホワイトバランス調整量を求めて、画像全体を調整した画像データを生成し、画像処理部４３に出力する、または、表示部５０に表示する。
【００８０】
WB制御部７３は、操作部５２が操作されることにより、プリセットされた光源のうち、予め指定された光源色に基づいて、ホワイトバランスの調整量を求めて、画像全体を調整した画像データを生成し、画像処理部４３に出力する、または、表示部５０に表示する。
【００８１】
設定部７４は、プリセットホワイトバランス、または、AWB等のWBの動作モードの設定や、AWBの動作モード時におけるAWBロックを掛ける際の動作やカスタムボタンの設定画面の液晶モニタ２６への表示や、設定画面が操作部５２の操作により決定された設定情報を記憶する。
【００８２】
合焦制御部４８は、マイクロコンピュータ４７から供給される合焦領域と、イメージセンサ４２から供給される位相差情報とに基づいて、合焦領域にピントが合うようにアクチュエータ４９を制御する。
【００８３】
アクチュエータ４９は、合焦制御部４８等により制御される。アクチュエータ４９は、光学系４１を駆動し、フォーカス位置、絞り値、およびズーム倍率を制御する。
【００８４】
表示部５０は、図６のファインダ１７と液晶モニタ２６により構成される。表示部５０は、マイクロコンピュータ４７の制御により、撮像画像（圧縮および記録される画像）の画像データに基づいて撮像画像を表示する。また、表示部５０は、マイクロコンピュータ４７の制御により、撮像画像ではない画像（圧縮および記録されない画像）の画像データに基づく画像を、ライブビュー画像として表示する。表示部５０の液晶モニタ２６は、マイクロコンピュータ４７の制御により、メニュー画面や設定画面を表示する。
【００８５】
メモリ５１は、マイクロコンピュータ４７の作業領域である。メモリ５１は、マイクロコンピュータ４７による処理の途中結果や最終結果を記憶する。例えば、メモリ５１は、マイクロコンピュータ４７から供給される顔検出モードを記憶する。
【００８６】
操作部５２は、シャッタボタン１１、電源ボタン１１Ａ、モードダイヤル１２、カスタムボタン１３、前ダイヤル１４、メニューボタン１６、視度調整ダイヤル１７Ａ、およびカスタムボタン１８の操作を表す操作信号をマイクロコンピュータ４７に供給する。また、操作部５２は、後ダイヤル１９、録画ボタン２０、ＡＥＬボタン２１、Ｆｎボタン２２、十字キー２３、再生ボタン２４、および削除ボタン２５の操作を表す操作信号を、マイクロコンピュータ４７に供給する。
【００８７】
通信部５３は、マイクとコンピュータ４７により制御され、有線または無線により、LAN（Local Area Network）アダプタやBluetooth（登録商標）などよりなり、インターネットに代表されるネットワークや近距離通信を介して外部の機器と通信する。
【００８８】
＜AWBロックの種別＞
撮像モードには、静止画を撮像する静止画モードと、動画を撮像する動画モードとがあり、本開示において実現するAWBロックについては、動画モードと静止画モードの両方に係る動作(カスタムボタンによるAWBロック)と、静止画モードのみに係る動作(シャッタAWBロック)とがある。
【００８９】
AWBの動作状態がオンに設定された場合のAWBロックは、大きく分けて、静止画モードだけに係るシャッタボタン１１の操作によるAWBロック、および動画モードと静止画モード両方に係るカスタムボタン１３，１８の操作によるAWBロックの２種類に分類される。
【００９０】
また、シャッタボタン１１の操作によるAWBロックについては、シャッタボタン１１を半押し操作にしたときのAWBロックと、シャッタボタン１１を全押しした状態を継続して連写状態としたとき（連写操作としたとき）のAWBロックとに分類される。
【００９１】
このうち、シャッタボタン１１を半押し操作したときのAWBロックについては、図９で示されるように、静止画モードにおけるシャッタボタン１１の操作全体を領域Ｚ１で表現したうちの、連写または単写に関わらず、全ての半押し操作によるものであるので、領域Ｚ１の一部の範囲Ｚ２として表現される操作となる。
【００９２】
このような設定により、ユーザは、ライブビュー画像を見ながら、所望とする色温度であると認識したタイミングで、シャッタボタン１１を半押し操作することで、AWBロックを掛けることができ、この状態のまま、所望とする構図が得られるまで構図を調整する事が可能となる。
【００９３】
さらに、シャッタボタン１１を全押し操作した状態を継続して連写状態としたとき（連写操作としたとき）のAWBロックについては、半押し操作を経て、全押し操作とし、その状態が継続することで連写状態になったときに動作するAWBロックであるので、図９の範囲Ｚ２の、さらに一部の範囲Ｚ３として表現される。すなわち、半押し操作におけるAWBロックにおいては、連写状態におけるAWBロックが含まれる。
【００９４】
このような設定により、ユーザは、シャッタボタン１１を全押し操作して、かつ、その状態が継続して連写状態になった以降において、AWBロックを掛けることができ、連写状態が終了するまでAWBロックを継続して掛けることが可能となり、連写状態で撮像された画像の色温度を統一することが可能となる。
【００９５】
このため、本開示の撮像装置１０においては、シャッタボタン１１に対するどのような操作によりAWBロックを掛けるかについて、ユーザが所望するように選択的に設定することができる。
【００９６】
すなわち、シャッタボタン１１を半押し操作したときAWBロックが掛けられるモード、シャッタボタン１１が全押し操作された状態が継続されて、連写中となったときにAWBロックが掛けられるモード、および、シャッタボタン１１の操作に関わらず、AWBロックが掛けられないモードの３種類のモードのいずれかを選択的に設定することができる。
【００９７】
また、カスタムボタン１３，１８に、AWBをロックさせるためのボタン（以降においては、AWBL（Auto White Balance Lock）ボタンとも称する）としての機能が割り当てられた場合には、カスタムボタン１３，１８が操作されることでAWBロックが掛けられる。
【００９８】
さらに、カスタムボタン１３，１８にAWBLボタンとしての機能が割り当てられた場合、AWBロックを掛けるための操作には、押す間操作と再押し操作の２種類の操作がある。
【００９９】
押す間操作とは、AWBLボタンとしての機能が割り当てられたカスタムボタン１３，１８が押されているタイミングにおいて、AWBロックが掛けられた状態となり、押されていないタイミングにおいてAWBが機能するものである。
【０１００】
すなわち、カスタムボタン１３，１８にAWBLボタンとしての機能が割り当てられ、かつ、押す間操作が設定されると、ユーザが、カスタムボタン１３，１８を押している間だけAWBロックが掛けられ、それ以外のときAWBが機能する。
【０１０１】
また、再押し操作とは、AWBLボタンとしての機能が割り当てられたカスタムボタン１３，１８に１回目の押す操作がなされた後、押す操作が解除されたタイミング以降においてAWBロックが掛けられた状態となり、再度、２回目の押す操作がなされた後、押す操作が解除されるとAWBロックの状態が解除される操作である。
【０１０２】
すなわち、カスタムボタン１３，１８にAWBLボタンとしての機能が割り当てられ、かつ、再押し操作が設定されると、ユーザが、カスタムボタン１３，１８を１回目に押す操作をして解除したタイミングから、２回目に押す操作がなされて解除されるまでの間が、AWBロックが掛けられた状態となり、それ以外のときAWBが機能する。
【０１０３】
また、カスタムボタン１３，１８については、AWBLボタンとしての機能が割り当てられた場合にのみ、AWBロックを掛けるための操作ができるので、AWBLボタンとしての機能が割り当てられるとき、併せて押す間操作、または、再押し操作のいずれかを選択的に設定することができる。
【０１０４】
さらに、カスタムボタン１３，１８については、そのうちのいずれかにのみAWBLボタンとしての機能が割り当てられるようにしてもよいし、その両方にAWBLボタンとしての機能が割り当てられるようにしてもよい。カスタムボタン１３，１８の両方にAWBLボタンとしての機能が割り当てられる場合、両方を押す間操作、または、再押し操作に設定することもできるし、いずれか一方を押し間操作に設定し、他方を再押し操作に設定するようにしてもよい。
【０１０５】
尚、カスタムボタン１３，１８については、AWBLボタンとしての機能が割り当てられた場合にのみ、AWBロックを掛けるための操作ができるので、AWBLボタンとしての機能を割り当てないように設定することで、AWBLボタンとして機能させないようにすることもできる。
【０１０６】
また、カスタムボタン１３，１８にAWBLボタンとしての機能が割り当てられることにより、シャッタボタン１１の操作とは独立してAWBロックを掛けることが可能である。
【０１０７】
これにより、例えば、シャッタボタン１１の半押し操作で、オートフォーカスによるフォーカスロックとオートエクスポージャによるエクスポージャロックが掛かるような設定になっていても、AWBロックについては、独立して動作させることができる。
【０１０８】
すなわち、例えば、フォーカスロックとエクスポージャロックとが同時に掛かっている状態であっても、カスタムボタン１３または１８の操作により、AWBロックのみをオンまたはオフに切り替えて操作することもできる。
【０１０９】
また、以降においては、上述したシャッタボタン１１の操作によるAWBロックを、シャッタAWBロックとも称し、カスタムボタン１３，１８の操作によるAWBロックを、カスタムボタンAWBロックとも称する。
【０１１０】
＜シャッタAWBロック設定処理＞
次に、図１０のフローチャートを参照して、シャッタAWBロック設定処理について説明する。
【０１１１】
ステップＳ１１において、マイクロコンピュータ４７の設定部７４は、操作部５２を制御して、設定処理が指示されたか否かを判定し、設定処理が指示されるまで、同様の処理を繰り返す。
【０１１２】
ステップＳ１１において、設定処理が指示されたと判定された場合、処理は、ステップＳ１２進む。
【０１１３】
ステップＳ１２において、設定部７４は、表示部５０における液晶モニタ２６に、例えば、図１１の左上部で示される設定画面Ｃ１を表示する。
【０１１４】
図１１の設定画面Ｃ１においては、最上段において「設定」と表示され、設定画面であることが示されている。
【０１１５】
また、「設定」の下には、上から、「美肌効果」および「シャッタAWBロック」と表示され、それぞれ、右側に「切」と表示された選択欄Ｂ１，Ｂ２が、表示され、「美肌効果」および「シャッタAWBロック」のいずれの設定もオフ（切）の状態とされていることが示されている。
【０１１６】
さらに、選択欄Ｂ１，Ｂ２は、設定対象として選択することが可能であり、図１１においては、選択欄Ｂ２がハイライト表示されており、設定対象として選択されていることが示されている。
【０１１７】
ステップＳ１３において、設定部７４は、操作部５２を制御して、十字キー２３等が操作されて、設定対象として、「シャッタAWBロック」が選択されたか否かを判定する。
【０１１８】
尚、図１１においては、「美肌効果」および「シャッタAWBロック」のいずれも設定対象として選択可能であるが、ここでは、説明の便宜上、「シャッタAWBロック」だけを選択対象とした処理のみを説明とする。
【０１１９】
ステップＳ１３において、例えば、図１１の設定画面Ｃ１で示されるように、十字キー２３等が操作されて、選択欄Ｂ２が設定対象として選択され、さらに、決定操作がなされると設定対象として、「シャッタAWBロック」が選択されたものとみなされ、処理は、ステップＳ１４に進む。
【０１２０】
ステップＳ１４において、設定部７４は、表示部５０における液晶モニタ２６に、例えば、図１１の中央上部で示される設定画面Ｃ２を表示する。
【０１２１】
図１１の設定画面Ｃ２において、設定画面Ｃ１の表示上にポップアップＰＯＰ１が表示され、ポップアップＰＯＰ１の最上段に「シャッタAWBロック」と表示され、ポップアップＰＯＰ１が「シャッタAWBロック」の設定画面であることが示されている。
【０１２２】
また、ポップアップＰＯＰ１の「シャッタAWBロック」の下には、上から選択欄Ｂ１１乃至Ｂ１３が表示されており、それぞれ「シャッタ半押し」、「連写中」、および「切」が表示されている。
【０１２３】
選択欄Ｂ１１乃至Ｂ１３は、いずれも十字キー２３等により操作して、選択することが可能とされている。
【０１２４】
すなわち、選択欄Ｂ１１は、「シャッタ半押し」と表記され、「シャッタAWBロック」を、シャッタボタン１１を半押し操作したとき動作させることを設定するとき選択される。
【０１２５】
また、選択欄Ｂ１２は、「連写中」と表記され、「シャッタAWBロック」を、シャッタボタン１１を全押し操作した状態が継続されて、連写状態となったとき動作させるように設定するとき選択される。
【０１２６】
さらに、選択欄Ｂ１３は、「切」と表記され、「シャッタAWBロック」を、シャッタボタン１１による動作をしない状態、すなわち、「シャッタAWBロック」をオフにさせるように設定するとき選択される。
【０１２７】
図１１においては、選択欄Ｂ１１がハイライト表示されており、選択欄Ｂ１１の「シャッタ半押し」が選択されていることが示されている。
【０１２８】
ステップＳ１５において、設定部７４は、操作部５２を制御して、十字キー２３等が操作されて、「シャッタAWBロック」を「シャッタ半押し」操作するとき動作させるように設定する指示がなされたか否かを判定する。
【０１２９】
ステップＳ１５において、例えば、図１１で示されるように、選択欄Ｂ１１がハイライト表示されており、選択欄Ｂ１１の「シャッタ半押し」が選択され、決定操作がなされた場合、「シャッタAWBロック」を「シャッタ半押し」操作するとき動作させるように設定する指示がなされたとみなされて、処理は、ステップＳ１６に進む。
【０１３０】
ステップＳ１６において、設定部７４は、「シャッタAWBロック」を「シャッタ半押し」操作するとき動作するモードに設定して、その設定情報を記憶する。
【０１３１】
また、ステップＳ１５において、「シャッタAWBロック」を「シャッタ半押し」操作するとき動作させるように設定する指示がなされなかった場合、処理は、ステップＳ１７に進む。
【０１３２】
ステップＳ１７において、設定部７４は、操作部５２を制御して、十字キー２３等が操作されて、「シャッタAWBロック」を、全押し操作した状態が継続して「連写中」になったとき動作させるように設定する指示がなされたか否かを判定する。
【０１３３】
ステップＳ１７において、例えば、図１１の右上部の設定画面Ｃ３で示されるように、選択欄Ｂ１２がハイライト表示されており、選択欄Ｂ１２の「連写中」が選択され、決定操作がなされた場合、「シャッタAWBロック」を、全押し操作した状態が継続して「連写中」になったとき動作させるように設定する指示がなされたとみなされて、処理は、ステップＳ１８に進む。
【０１３４】
ステップＳ１８において、設定部７４は、「シャッタAWBロック」を、全押し操作した状態が継続して「連写中」になったとき動作するモードに設定して、その設定情報を記憶する。
【０１３５】
また、ステップＳ１７において、「シャッタAWBロック」を「連写中」のとき動作させるように設定する指示がなされなかった場合、処理は、ステップＳ１９に進む。
【０１３６】
ステップＳ１９において、設定部７４は、操作部５２を制御して、十字キー２３等が操作されて、「シャッタAWBロック」を切（オフ）にさせるように設定する指示がなされたか否かを判定する。
【０１３７】
ステップＳ１９において、例えば、図１１の選択欄Ｂ１３の「切」が選択され、決定操作がなされた場合、「シャッタAWBロック」を、シャッタボタン１１により動作しない、切（オフ）にさせるように設定する指示がなされたとみなされて、処理は、ステップＳ２０に進む。
【０１３８】
ステップＳ２０において、設定部７４は、「シャッタAWBロック」をシャッタボタン１１により操作できない「オフ（切）」の動作モードに設定して、その設定情報を記憶する。
【０１３９】
また、ステップＳ１９において、「シャッタAWBロック」として「切」が選択されなかった場合、処理は、ステップＳ２１に進む。
【０１４０】
ステップＳ２１において、設定部７４は、操作部５２を制御して、例えば、十字キー２３等が操作されて、シャッタAWBロック設定の終了が指示されたか否かを判定する。
【０１４１】
ステップＳ２１において、シャッタAWBロック設定の終了が指示されない場合、処理は、ステップＳ１４に戻る。すなわち、ステップＳ２１において、シャッタAWBロック設定の終了が指示されるまで、ステップＳ１４乃至Ｓ２１の処理が繰り返される。
【０１４２】
そして、ステップＳ２１において、シャッタAWBロック設定の終了が指示された場合、処理は、ステップＳ２２に進む。
【０１４３】
ステップＳ２２において、設定部７４は、記憶した設定情報に基づいて、設定画面を更新し、表示部５０における液晶モニタ２６に表示する。設定部７４は、例えば、図１１の中央下部で示される設定画面Ｃ４を液晶モニタ２６に表示する。
【０１４４】
図１１の設定画面Ｃ４においては、「シャッタAWBロック」の右側に「シャッタ半押し」と表示され、「シャッタAWBロック」が「シャッタ半押し」操作がなされたときに動作させるモードに設定されたことが表されている。
【０１４５】
ステップＳ２３において、設定部７４は、操作部５２を制御して、例えば、十字キー２３等が操作されて、設定の終了が指示されたか否かを判定する。
【０１４６】
ステップＳ２３において、設定の終了が指示されない場合、処理は、ステップＳ１２に戻る。
【０１４７】
すなわち、設定の終了が指示されるまで、ステップＳ１２乃至Ｓ２３の処理が繰り返される。
【０１４８】
そして、ステップＳ２３において、設定の終了が指示された場合、処理は終了する。
【０１４９】
尚、ステップＳ１３において、設定対象として、「シャッタAWBロック」が選択されない場合、ステップＳ１４乃至Ｓ２２の処理はスキップされる。
【０１５０】
以上の処理により、シャッタAWBロックが、シャッタボタン１１の半押し操作のときになされる動作モード、全押し操作した状態が継続して連写中になったときになされる動作モード、または、シャッタボタン１１ではAWBロックが掛けられない動作モードのいずれかの動作モードに設定される。
【０１５１】
結果として、AWBロックの動作を、シャッタボタン１１に対する操作内容に応じて切り替えて設定することが可能となる。
【０１５２】
尚、以上においては、シャッタボタン１１に対するAWBロックの動作モードを設定させる例について説明してきたが、併せて、オートフォーカスやオートエクスポージャの設定を組み合わせて設定できるようにしてもよい。
【０１５３】
半押し操作のときになされる動作モードとして、例えば、フォーカスロックおよびエクスポージャロックを併用させるときの条件を付帯させたAWBロックを掛ける動作モードを選択できるようにしてもよい。
【０１５４】
例えば、フォーカスロックおよびエクスポージャロック、並びにAWBロックを掛ける動作モード、フォーカスロックは掛けないが、エクスポージャロックとAWBロックを掛ける動作モード、および、エクスポージャロックは掛けないが、フォーカスロックとAWBロックを掛ける動作モードなどを選択できるようにしてもよい。
【０１５５】
＜カスタムボタン設定処理＞
次に、図１２のフローチャートを参照して、カスタムボタン設定処理について説明する。
【０１５６】
ステップＳ３１において、マイクロコンピュータ４７の設定部７４は、操作部５２を制御して、カスタムボタンの設定が指示されたか否かを判定する。
【０１５７】
ステップＳ３１において、カスタムボタンの設定が指示された場合、処理は、ステップＳ３２進む。
【０１５８】
ステップＳ３２において、設定部７４は、表示部５０における液晶モニタ２６に、例えば、図１３で示される設定画面Ｃ２１を表示する。
【０１５９】
図１３の設定画面Ｃ２１においては、最上段において「カスタムボタン」と表示され、カスタムボタンの設定画面であることが示されている。
【０１６０】
また、「カスタムボタン」の下には、上から、「AWBLボタン（押す間）」、「AWBLボタン（再押し）」、「AELボタン（押す間）」、および「AELボタン（再押し）」と表示された選択欄Ｂ３１乃至Ｂ３４が表示されている。
【０１６１】
選択欄Ｂ３１乃至Ｂ３４は、カスタムボタン１３に対して割り付けることが可能な機能が表示されており、選択欄Ｂ３１乃至Ｂ３４のいずれかを選択することで、その機能を割り付けることが可能である。
【０１６２】
尚、選択欄Ｂ３３，Ｂ３４における「AELボタン」の機能は、ＡＥＬボタン２１における機能と同様の機能であり、それぞれ押す間操作の場合に機能する設定と、再押し操作のときに機能する設定とが表されている。
【０１６３】
図１３においては、選択欄Ｂ３１がハイライト表示されており、カスタムボタン１３，１８に「AWBLボタン（押す間）」が割り付けられることが選択された状態が表示されている。
【０１６４】
ステップＳ３３において、設定部７４は、操作部５２を制御して、十字キー２３等が操作されて、カスタムボタン１３に割り付けられる機能として、「AWBLボタン（押す間）」が選択されたか否かを判定する。
【０１６５】
ステップＳ３３において、例えば、図１３で示されるように、選択欄Ｂ３１がハイライト表示されており、選択欄Ｂ３１の「AWBLボタン（押す間）」が選択され、決定操作がなされた場合、カスタムボタン１３に「AWBLボタン（押す間）」の機能が割り付けられることが選択されたとみなされて、処理は、ステップＳ３４に進む。
【０１６６】
ステップＳ３４において、設定部７４は、カスタムボタン１３に「AWBLボタン（押す間）」の機能が割り付けられるように設定して、その設定情報を記憶する。
【０１６７】
ステップＳ３３において、カスタムボタン１３に割り付けられる機能として、「AWBLボタン（押す間）」が選択されなかった場合、処理は、ステップＳ３５に進む。
【０１６８】
ステップＳ３５において、設定部７４は、操作部５２を制御して、十字キー２３等が操作されて、カスタムボタン１３に割り付けられる機能として、「AWBLボタン（再押し）」が選択されたか否かを判定する。
【０１６９】
ステップＳ３５において、選択欄Ｂ３２の「AWBLボタン（再押し）」が選択され、決定操作がなされた場合、カスタムボタン１３に「AWBLボタン（再押し）」の機能が割り付けられることが選択されたとみなされて、処理は、ステップＳ３６に進む。
【０１７０】
ステップＳ３６において、設定部７４は、カスタムボタン１３に「AWBLボタン（再押し）」の機能が割り付けられるように設定して、その設定情報を記憶する。
【０１７１】
ステップＳ３５において、カスタムボタン１３に割り付けられる機能として、「AWBLボタン（再押し）」が選択されなかった場合、処理は、ステップＳ３７に進む。
【０１７２】
ステップＳ３７において、設定部７４は、操作部５２を制御して、十字キー２３等が操作されて、カスタムボタン１３に割り付けられる機能として、「AELボタン（押す間）」が選択されたか否かを判定する。
【０１７３】
ステップＳ３７において、例えば、選択欄Ｂ３３の「AELボタン（押す間）」が選択され、決定操作がなされた場合、カスタムボタン１３に「AELボタン（押す間）」の機能が割り付けられることが選択されたとみなされて、処理は、ステップＳ３８に進む。
【０１７４】
ステップＳ３８において、設定部７４は、カスタムボタン１３に「AELボタン（押す間）」の機能が割り付けられるように設定して、その設定情報を記憶する。
【０１７５】
ステップＳ３７において、カスタムボタン１３に割り付けられる機能として、「AELボタン（押す間）」が選択されなかった場合、処理は、ステップＳ３９に進む。
【０１７６】
ステップＳ３９において、設定部７４は、操作部５２を制御して、十字キー２３等が操作されて、カスタムボタン１３に割り付けられる機能として、「AELボタン（再押し）」が選択されたか否かを判定する。
【０１７７】
ステップＳ３９において、選択欄Ｂ３４の「AELボタン（再押し）」が選択され、決定操作がなされた場合、カスタムボタン１３に「AELボタン（再押し）」の機能が割り付けられることが選択されたとみなされて、処理は、ステップＳ４０に進む。
【０１７８】
ステップＳ４０において、設定部７４は、カスタムボタン１３に「AELボタン（再押し）」の機能が割り付けられるように設定して、その設定情報を記憶する。
【０１７９】
ステップＳ３９において、カスタムボタン１３に割り付けられる機能として、「AELボタン（再押し）」が選択されなかった場合、処理は、ステップＳ４１に進む。
【０１８０】
ステップＳ４１において、設定部７４は、操作部５２を制御して、例えば、十字キー２３等が操作されて、設定の終了が指示されたか否かを判定する。
【０１８１】
ステップＳ４１において、設定の終了が指示されない場合、処理は、ステップＳ３３に戻る。
【０１８２】
すなわち、設定の終了が指示されるまで、ステップＳ３３乃至Ｓ４１の処理が繰り返される。
【０１８３】
そして、ステップＳ４１において、設定の終了が指示された場合、処理は終了する。
【０１８４】
以上の処理により、カスタムボタン１３にAWBLロック（押す間）、またはAWBL（再押し）のいずれかが割り付けられることにより、AWBロックを実現することが可能となる。
【０１８５】
これにより、押す間操作によるAWBロックの動作や再押し操作によるAWBロックの動作を、カスタムボタン１３に割り付け事が可能となる。
【０１８６】
結果として、シャッタボタン１１の操作とは独立した、カスタムボタン１３の操作によるAWBロックを実現することが可能となる。
【０１８７】
尚、以上においては、カスタムボタン１３の設定操作について説明してきたが、カスタムボタン１８についても同様の処理で設定することが可能である。
【０１８８】
また、割り付けられる機能として、「AWBLボタン（押す間）」、「AWBLボタン（再押し）」、「AELボタン（押す間）」、および「AELボタン（再押し）」の４種類の機能を例としたときの処理について説明してきたが、割り付ける機能はこれに限らず、その他の機能であってもよい。
【０１８９】
さらに、既に、予め本体に設けられた別の機能のボタンの機能を割り付けるようにしてもよいし、物理的なボタンとしては存在しない機能を割り付けるようにしてもよい。
【０１９０】
また、カスタムボタン１３，１８に同一の機能を割り付けるようにしてもよいし、それぞれ異なる機能を割り付けるようにしてもよい。
【０１９１】
＜AWB調整処理＞
次に、図１４のフローチャートを参照して、AWB調整処理について説明する。
【０１９２】
ステップＳ６１において、マイクロコンピュータ４７は、操作部５２を制御して、例えば、前ダイヤル１４や後ダイヤル１９が操作されて、AWBがオンの状態にされているか否かを判定する。
【０１９３】
ステップＳ６１において、例えば、前ダイヤル１４や後ダイヤル１９が操作されて、AWBがオンの状態にされていると判定された場合、処理は、ステップＳ６２に進む。
【０１９４】
ステップＳ６２において、マイクロコンピュータ４７は、操作部５２を制御して、例えば、前ダイヤル１４や後ダイヤル１９が操作されて、表示モードが詳細表示モードであるか否かを判定する。
【０１９５】
ここで、表示モードとは、液晶モニタ２６に表示される情報量に応じたモードであり、詳細表示モードと通常表示モードとがある。
【０１９６】
詳細表示モードとは、例えば、図１５の上段で示されるような表示モードである。
【０１９７】
すなわち、詳細表示モードの場合、図１５で示されるように、液晶モニタ２６の下端部Ｅ１、左端部Ｅ２、上端部Ｅ３、および右端部Ｅ４に各種の情報が表示される。
【０１９８】
下端部Ｅ１には、図中左からシャッタスピード、Ｆ値、露出、ISO感度のそれぞれを示すアイコン、および、AWBLボタンのオンまたはオフを示すAWBLアイコンＤ１が表示される。
【０１９９】
尚、オンまたはオフを示すアイコンは、オンのとき、表示状態とされ、オフのとき、非表示状態とされる。
【０２００】
AWBLアイコンＤ１は、AWBLボタンとして割り付けられたカスタムボタン１３または１８によりAWBLがオンされたときに表示され、シャッタボタン１１が半押し操作される、または、連写状態にされることによるAWBロックが掛けられるときには表示されない。
【０２０１】
これは、AWBLボタンに割り付けられたカスタムボタン１３または１８が、再押し操作でオンまたはオフを切り替える際、１回目の全押し操作および操作解除によりAWBLがオンの状態になっている場合、AWBLがオンとなっている時間が長いと、AWBLがオンであるのか、または、オフであるのかを忘れる恐れがあるので、AWBLがオンであることを視覚的に認識させるために表示されるものである。
【０２０２】
シャッタボタン１１が半押し操作される、または、連写状態にされることによりAWBロックが掛けられる場合には、ライブビュー画像における色温度の変化が停止することで、視覚的に、AWBロックが掛けられていることを認識することができる。
【０２０３】
左端部Ｅ２には、上からドライブモード、フォーカスモード、測光モード、ロックオンフォーカスモード、およびピクチャープロファイルのモードを示すそれぞれのアイコンが表示される。
【０２０４】
上端部Ｅ３には、図中左から撮像モード、バッテリ残量、縦横比、撮像される画像サイズのそれぞれを示すアイコン、手振れ補正のオンまたはオフを示すアイコン、画質を示すアイコン、NFC（Near field communication）が有効であるか否かを示すアイコン、および充電中であるか否かを示すアイコンが表示される。
【０２０５】
右端部Ｅ４には、上からフォーカスエリアを示すアイコン、AWBがオンまたはオフのいずれであるかを示すアイコンＤ２、DRO（Dynamic Range Optimizer）の設定状態を示すアイコン、画像の仕上がりであるクリエイティブスタイルのモードを示すアイコン、およびピクチャーエフェクトのモードを示すアイコンが表示される。
【０２０６】
通常表示モードとは、例えば、図１６の上段で示されるような表示モードであり、図１５の詳細表示モードにおいては、液晶モニタ２６の下端部Ｅ１の情報のみが表示される。
【０２０７】
すなわち、詳細表示モードにおいては、表示される情報量が通常表示モードよりも多くなる分、ライブビュー画像を見難くなるので、ライブビュー画像を詳細に確認したい場合には通常表示モードにして、表示される情報量を低減させて、ライブビュー画像を見易くする。
【０２０８】
ここで、図１４のフローチャートの説明に戻る。
【０２０９】
ステップＳ６２において、詳細表示モードである場合、処理は、ステップＳ６３に進む。
【０２１０】
ステップＳ６３において、マイクロコンピュータ４７は、AWBアイコンＤ２が表示されている状態か否かを判定する。
【０２１１】
ステップＳ６３において、AWBアイコンＤ２が表示されていない場合、処理は、ステップＳ６４に進む。
【０２１２】
ステップＳ６４において、マイクロコンピュータ４７は、表示部５０を制御して、液晶モニタ２６上に、AWBアイコンＤ２を表示させる。
【０２１３】
すなわち、ここでは、ステップＳ６１，Ｓ６２において、AWBがオンで、かつ、詳細表示モードであると判定されているが、ステップＳ６３において、図１５の下段で示されるように、AWBアイコンＤ２が表示されていない状態であるときには、動作状態との矛盾が生じる。
【０２１４】
そこで、AWBがオンであることが示す必要があるので、ステップＳ６４の処理により、図１５の上段で示されるように、詳細表示モードの右端部Ｅ４内に、AWBアイコンＤ２が表示される。
【０２１５】
尚、ステップＳ６２において詳細表示モードではないと判定された場合、およびステップＳ６３において、既にAWBアイコンＤ２が表示されている場合については、ステップＳ６４の処理がスキップされる。
【０２１６】
ステップＳ６５において、マイクロコンピュータ４７は、イメージセンサ４２を制御して、光学系４１を介して入射する撮像範囲の光に基づいて画像を撮像させて、画像データとして画像処理部４３に出力する。
【０２１７】
画像処理部４３は、画像データに画像処理を加えて、マイクロコンピュータ４７に出力する。
【０２１８】
ステップＳ６６において、マイクロコンピュータ４７の画像解析部７１は、画像データのRGB信号に基づいて画像を解析し、解析結果をAWB調整部７２に出力する。
【０２１９】
ステップＳ６７において、AWB調整部７２は、画像データのRGB信号の解析結果に基づいて、画像全体の状態に応じたAWB調整値を算出する。
【０２２０】
ステップＳ６８において、AWB調整部７２は、操作部５２からの操作信号に基づいて、AWBLがオンの状態、すなわち、AWBロックが掛けられた状態であるか否かを判定する。
【０２２１】
尚、AWBLがオンまたはオフの状態のいずれであるかについては、図１７乃至図１９のフローチャートを参照して後述するAWBL制御処理により操作部５２からの操作信号に基づいて、リアルタイムで求められる処理が繰り返される。
【０２２２】
このため、AWB調整部７２は、AWBL制御処理の処理結果である、リアルタイムで求められるオンまたはオフの状態のいずれかの結果に基づいて、AWBLがオンであるか否かを判定する。
【０２２３】
ステップＳ６８において、AWBLがオンではない、すなわち、AWBロックが掛けられていない状態である場合、処理は、ステップＳ６９に進む。
【０２２４】
ステップＳ６９において、AWB調整部７２は、算出したAWB調整値を更新して記憶する。
【０２２５】
ステップＳ７０において、AWB調整部７２は、記憶しているAWB調整値に基づいて、画像データに調整を加えて、画像のホワイトバランスを調整する。
【０２２６】
ステップＳ７１において、マイクロコンピュータ４７は、ホワイトバランスが調整された画像を画像処理部４３に出力すると共に、表示部５０に出力してライブビュー画像として液晶モニタ２６上に表示させる。
【０２２７】
ステップＳ７２において、マイクロコンピュータ４７は、処理の終了が指示されたか否かを判定し、終了が指示されていない場合、処理は、ステップＳ６１に戻る。
【０２２８】
また、ステップＳ６８において、AWBLがオンである、すなわち、AWBロックが掛けられている場合、ステップＳ６９の処理がスキップされる。
【０２２９】
すなわち、AWBLがオンにされず、AWBロックが掛けられていない状態においては、AWB調整値が算出されて、算出されたAWB調整値が更新されて記憶される処理（ステップＳ６９の処理）が繰り返されて、更新が繰り返されて記憶されているAWB調整値によりホワイトバランスが調整され続ける。
【０２３０】
従って、この場合、画角や外光の変化に伴って、AWB調整値が変化し、変化に伴ったAWB調整値が順次更新されて記憶され、記憶されたAWB調整値によりホワイトバランスが調整されることにより液晶モニタ２６に表示されるライブビュー画像の色温度は変化し続ける。
【０２３１】
これに対して、AWBLがオンにされ、AWBロックが掛けられた状態においても、AWB調整値は算出され続けるが、更新される処理がなされない（ステップＳ６９の処理がスキップされる）。このため、AWBLがオンにされる直前に更新されて記憶された同一のAWB調整値によりホワイトバランスが調整され続ける。
【０２３２】
従って、この場合、画角や外光が変化して、AWB調整値が変化し、変化に伴ったAWB調整値の算出は繰り返されるが、記憶されているAWB調整値は更新されることがない。
【０２３３】
このため、AWBLがオンになる直前に記憶された同一のAWB調整値によりホワイトバランスが調整され続けることにより、液晶モニタ２６に表示されるライブビュー画像の色温度は一定の状態に維持される。
【０２３４】
また、ステップＳ６１において、AWBがオンではないと判定された場合、処理は、ステップＳ７３に進む。
【０２３５】
ステップＳ７３において、マイクロコンピュータ４７は、AWBアイコンＤ２が表示されている状態か否かを判定する。
【０２３６】
ステップＳ７３において、AWBアイコンＤ２が表示されている場合、処理は、ステップＳ７４に進む。
【０２３７】
ステップＳ７４において、マイクロコンピュータ４７は、表示部５０を制御して、液晶モニタ２６上に表示されているAWBアイコンＤ２を非表示の状態にさせ、処理は、ステップＳ７２に進む。
【０２３８】
尚、ステップＳ７３において、AWBアイコンＤ２が表示されていない場合、ステップＳ７４の処理は、スキップされる。また、AWBアイコンＤ２が表示されていた場合、詳細表示モードであることが明らかであるので、表示モードが詳細表示モードであるか否かについての判定は省略される。
【０２３９】
以上の処理により、AWBLがオフにされて、AWBロックが掛けられていない場合には、液晶モニタ２６上に表示される画像の色温度が、撮像される外光や画角が変化することによる入射光の変化に伴ったAWB調整値により変化し続ける。
【０２４０】
また、AWBLがオンにされて、AWBロックが掛けられている場合には、液晶モニタ２６上に表示される画像の色温度は、撮像される外光や画角が変化することによる入射光の変化があっても、AWBLがオンにされる直前に記憶された同一のAWB調整値によりホワイトバランスが調整されることにより一定の色温度の状態が維持される。
【０２４１】
＜AWBL制御処理＞
次に、図１７のフローチャートを参照して、AWBL制御処理について説明する。
【０２４２】
ステップＳ８１において、AWB調整部７２は、設定部７４に記憶されている設定情報に基づいて、シャッタAWBロックがシャッタ半押しに設定されているか否かを判定する。
【０２４３】
ステップＳ８１において、シャッタAWBロックがシャッタ半押しに設定されていると判定された場合、処理は、ステップＳ８２に進む。
【０２４４】
ステップＳ８２において、AWB調整部７２は、シャッタAWBL制御処理（シャッタ半押し）を実行して、シャッタAWBロックがシャッタ半押しに設定された場合のシャッタAWBL制御処理を実行して、シャッタボタン１１とカスタムボタン１３または１８との操作に基づいたAWBロックを制御する。尚、シャッタAWBL制御処理（シャッタ半押し）については、図１８のフローチャートを参照して詳細を後述する。
【０２４５】
ステップＳ８３において、AWB調整部７２は、処理の終了が指示されたか否かを判定し、終了が指示されない場合、処理は、ステップＳ８１に戻り、それ以降の処理が繰り返される。
【０２４６】
また、ステップＳ８３において、処理の終了が指示された場合、処理は終了する。
【０２４７】
さらに、ステップＳ８１において、シャッタAWBロックがシャッタ半押しに設定されていないと判定された場合、処理は、ステップＳ８４に進む。
【０２４８】
ステップＳ８４において、AWB調整部７２は、設定部７４に記憶されている設定情報に基づいて、シャッタAWBロックが連写中に設定されているか否かを判定する。
【０２４９】
ステップＳ８４において、シャッタAWBロックが連写中に設定されていると判定された場合、処理は、ステップＳ８５に進む。
【０２５０】
ステップＳ８５において、AWB調整部７２は、シャッタAWBL制御処理（連写中）を実行して、シャッタAWBロックが連写中に設定された場合のシャッタAWBL制御処理を実行して、シャッタボタン１１とカスタムボタン１３または１８との操作に基づいたAWBロックを制御する。
【０２５１】
ステップＳ８４において、シャッタAWBロックが連写中に設定されていないと判定された場合、処理は、ステップＳ８６に進む。
【０２５２】
ステップＳ８６において、AWB調整部７２は、設定部７４に記憶されている設定情報に基づいて、カスタムボタン１３または１８がAWBLボタンとして設定されているか否かを判定する。
【０２５３】
ステップＳ８６において、カスタムボタン１３または１８がAWBLボタンとして設定されていると判定された場合、処理は、ステップＳ８７に進む。
【０２５４】
ステップＳ８７において、AWB調整部７２は、カスタムボタンAWBL制御処理を実行して、カスタムボタンにAWBLボタンが設定された場合のAWBL制御処理を実行して、カスタムボタン１３または１８との操作に基づいたAWBロックを制御する。尚、カスタムボタンAWBL制御処理については、図１９のフローチャートを参照して詳細を後述する。
【０２５５】
ステップＳ８６において、カスタムボタン１３または１８がAWBLボタンとして設定されていないと判定された場合、処理は、ステップＳ８８に進む。
【０２５６】
ステップＳ８８において、AWB調整部７２は、AWBLをオフの状態とする。すなわち、この場合、シャッタボタン１１にも、カスタムボタン１３または１８のいずれにもAWBロックを掛ける処理をなすものが設定されていないので、AWBLがオフの状態とされる。
【０２５７】
以上の処理により、AWBLがオンの状態であるか、または、オフの状態であるのかが管理される。
【０２５８】
＜シャッタAWBL制御処理（半押し）＞
次に、図１８のフローチャートを参照して、シャッタを半押ししたときにAWBロックを掛けるときのシャッタAWBL制御処理について説明する。
【０２５９】
ステップＳ１０１において、AWB調整部７２は、操作部５２からの操作信号に基づいて、シャッタボタン１１が半押し操作された状態になっているか否かを判定する。
【０２６０】
ステップＳ１０１において、シャッタボタン１１が半押しにされているとみなされた場合、処理は、ステップＳ１０２に進む。
【０２６１】
ステップＳ１０２において、AWB調整部７２は、AWBLがオフの状態であるか否かを判定する。すなわち、シャッタボタン１１が半押し操作される前のタイミングにおいて、AWBLがオフの状態であるか否かが判定される。
【０２６２】
ステップＳ１０２において、AWBLがオフの状態である場合、処理は、ステップＳ１０３に進む。
【０２６３】
ステップＳ１０３において、AWB調整部７２は、AWBLをオンの状態にする。
【０２６４】
尚、ステップＳ１０２において、AWBLがオフの状態ではない場合、すなわち、AWBLが既にオンの状態である場合には、ステップＳ１０３の処理はスキップされる。
【０２６５】
ステップＳ１０４において、AWB調整部７２は、AWBLボタンに設定されたカスタムボタン１３または１８が、オンの状態にされているか否かを判定する。
【０２６６】
すなわち、AWBLボタンに設定されたカスタムボタン１３または１８は、押す間操作、または、再押し操作のいずれかに操作が設定されているが、そのいずれかの操作によりオンの状態にされているか否かが判定される。
【０２６７】
例えば、押す間操作に設定されている場合、カスタムボタン１３または１８が押されたままの状態であるか否かが判定される。
【０２６８】
また、再押し操作に設定されている場合、カスタムボタン１３または１８が、１回目に押された後、押す操作が解除された状態であるか否かが判定される。
【０２６９】
ステップＳ１０４において、AWBLボタンがオンの状態にされていると判定された場合、処理は、ステップＳ１０５に進む。
【０２７０】
ステップＳ１０５において、AWB調整部７２は、AWBLアイコンＤ１が非表示状態であるか否かを判定する。
【０２７１】
例えば、表示モードが、詳細表示モードである場合については、図１５の中段で示されるように、AWBアイコンＤ２が表示された状態であって、AWBLアイコンＤ１が表示されていない状態であるとき、非表示状態であるとみなされる。
【０２７２】
尚、図１５の下段で示されるように、AWBアイコンＤ２およびAWBLアイコンＤ１の両方が表示されていない場合、AWBがオンではないため、すなわち、図１５の中段の場合は、AWBLアイコンが非表示ではあるが、非表示としてみなされない。
【０２７３】
また、例えば、表示モードが、通常表示モードである場合については、図１６の下段で示されるように、AWBLアイコンＤ１が表示されていない状態であるとき、非表示状態であるとみなされる。
【０２７４】
ステップＳ１０５において、AWBLアイコンＤ１が非表示状態であると判定された場合、処理は、ステップＳ１０６に進む。
【０２７５】
ステップＳ１０６において、マイクロコンピュータ４７は、表示部５０を制御して、液晶モニタ２６上の下端部Ｅ１に、AWBLアイコンＤ１を表示状態にさせる。
【０２７６】
例えば、表示モードが、詳細表示モードである場合については、図１５の上段で示されるように、AWBアイコンＤ２が表示された状態で、AWBLアイコンＤ１が表示された表示状態とされる。
【０２７７】
また、例えば、表示モードが、通常表示モードである場合については、図１６の上段で示されるように、AWBLアイコンＤ１が表示された表示状態とされる。
【０２７８】
尚、ステップＳ１０５において、AWBLアイコンＤ１が非表示状態ではない、すなわち、AWBLアイコンＤ１が表示状態であると判定された場合、ステップＳ１０６の処理はスキップされる。
【０２７９】
一方、ステップＳ１０４において、AWBLボタンがオンの状態にされていない、すなわち、AWBLボタンに設定されたカスタムボタン１３または１８が操作されておらず、オフである、または、カスタムボタン１３または１８にAWBLボタンが設定されていない場合、処理は、ステップＳ１０７に進む。
【０２８０】
ステップＳ１０７においてAWB調整部７２は、AWBLアイコンＤ１が表示状態であるか否かを判定する。
【０２８１】
ステップＳ１０７において、AWBLアイコンＤ１が表示状態であると判定された場合、処理は、ステップＳ１０８に進む。
【０２８２】
ステップＳ１０８において、マイクロコンピュータ４７は、表示部５０を制御して、液晶モニタ２６上のAWBLアイコンＤ１を非表示状態にさせる。
【０２８３】
また、ステップＳ１０７において、AWBLアイコンＤ１が表示状態ではない、すなわち、非表示状態であると判定された場合、ステップＳ１０８の処理はスキップされる。
【０２８４】
すなわち、シャッタボタン１１が半押し操作されることにより、AWBLがオンにされた状態で、さらに、AWBLボタンとして設定されたカスタムボタン１３または１８がオンにされたタイミングにおいても、算出したAWB調整値を更新されない。
【０２８５】
したがって、シャッタボタン１１が半押し操作（または連写中に）されることにより、AWBLがオンにされた状態で、さらに、AWBLボタンとして設定されたカスタムボタン１３または１８がオンにされたタイミングにおいても、AWBLはオンのままとなり、AWB調整値も一定であるので、色温度も一定となる。
【０２８６】
また、シャッタボタン１１が半押し操作（または連写中に）されることにより、AWBLがオンにされた状態で、AWBLボタンとして設定されたカスタムボタン１３または１８がオンにされないとき、または、カスタムボタン１３または１８にAWBLボタンが設定されていないときには、AWBロックは掛けられたままであるが、AWBLアイコンＤ１は非表示状態とされる。
【０２８７】
ステップＳ１０１において、シャッタボタン１１が半押し操作された状態ではないと判定された場合、処理は、ステップＳ１０９に進む。
【０２８８】
ステップＳ１０９において、AWB調整部７２は、AWBLボタンに設定されたカスタムボタン１３または１８が、オンの状態にされているか否かを判定する。
【０２８９】
ステップＳ１０９において、AWBLボタンがオンの状態にされていると判定された場合、処理は、ステップＳ１１０に進む。
【０２９０】
ステップＳ１１０において、AWB調整部７２は、AWBLがオフの状態にされているか否かを判定する。
【０２９１】
ステップＳ１１０において、AWBLがオフの状態にされていると判定された場合、処理は、ステップＳ１１１に進む。
【０２９２】
ステップＳ１１１において、AWB調整部７２は、AWBLをオン状態にする。
【０２９３】
ステップＳ１１２において、マイクロコンピュータ４７は、表示部５０を制御して、液晶モニタ２６上に、AWBLアイコンＤ１を表示状態にさせる。
【０２９４】
尚、ステップＳ１０９において、AWBLボタンがオンの状態にされていないと判定された場合、処理は、ステップＳ１１３に進む。
【０２９５】
ステップＳ１１３において、AWB調整部７２は、AWBLがオンの状態にされているか否かを判定する。
【０２９６】
ステップＳ１１３において、AWBLがオンの状態にされていると判定された場合、処理は、ステップＳ１１４に進む。
【０２９７】
ステップＳ１１４において、AWB調整部７２は、AWBLをオフの状態にする。
【０２９８】
ステップＳ１１４において、マイクロコンピュータ４７は、表示部５０を制御して、液晶モニタ２６上に、AWBLアイコンＤ１を非表示状態にさせる。
【０２９９】
また、ステップＳ１１３において、AWBLがオンの状態にされていない、すなわち、AWBLがオフの状態であると判定された場合、ステップＳ１１４，Ｓ１１５の処理はスキップされる。
【０３００】
すなわち、シャッタボタン１１が半押し操作されない場合は、カスタムボタン１３または１８がAWBLボタンに設定されているときには、カスタムボタン１３または１８の操作に応じた処理となる。
【０３０１】
より詳細には、カスタムボタン１３または１８がオンにされると、AWBLがオンにされて、AWBLアイコンＤ１が最初の処理で表示状態にされる。また、カスタムボタン１３または１８がオフにされると、AWBLがオフにされて、AWBLアイコンＤ１が最初の処理で非表示状態にされる。
【０３０２】
そして、カスタムボタン１３または１８がAWBLボタンに設定されていないときには、カスタムボタン１３または１８の操作に関わらず、シャッタボタン１１の操作状態に応じた処理となる。
【０３０３】
尚、連写中にAWBロックを掛けるときのシャッタAWBL制御処理については、ステップＳ１０１の処理が、シャッタボタン１１が半押し操作されているか否かの判定処理に代えて、シャッタボタン１１が押している状態で継続しており、連写中である（連写操作されている）か否かが判定される処理となる以外は、図１８のフローチャートの処理と同様であるので、その説明は省略する。
【０３０４】
＜カスタムボタンAWBL制御処理＞
次に、図１９のフローチャートを参照して、カスタムボタンAWBL制御処理について説明する。
【０３０５】
尚、図１９のステップＳ１３１乃至Ｓ１３７の処理については、図１８のフローチャートにおけるステップＳ１１０乃至Ｓ１１６の処理と同様であるので、その説明は省略する。
【０３０６】
＜動作例（その１）＞
以上の処理により、シャッタボタン１１の半押し操作がなされたとき、または連写状態であるとき、AWBLがオンに制御されるように設定され、かつ、カスタムボタン１３または１８にAWBLボタンが設定されている場合、以下のような動作となる。
【０３０７】
例えば、図２０で示されるように、時刻ｔ１１において、カスタムボタン１３または１８がオンにされたとき（押す間操作の場合、全押し状態が開始されたとき、再押し操作の場合、１回目の全押し操作がなされて、全押し操作が解除されたとき）、AWBLがオンの状態とされる。
【０３０８】
このとき、時刻ｔ１１の直前において求められたAWB調整値が更新されることなく、継続して記憶された状態となり、同一のAWB調整値（＝Ｖ（ｔ１１））によりAWBが掛けられ続けるが色温度は一定のままとなる。
【０３０９】
この後、時刻ｔ１２において、シャッタボタン１１が半押し操作、または連写状態にされても、AWBLのオンの状態は継続され、その後、時刻ｔ１３において、シャッタボタン１１の操作が終了しても、AWBLはオン状態のままとされる。
【０３１０】
そして、時刻ｔ１４において、カスタムボタン１３または１８がオフにされたとき（押す間操作の場合、押された状態が解除されたとき、再押し操作の場合、２回目に押す操作がなされ、押す操作が解除されたとき）、AWBLがオフの状態とされる。
【０３１１】
尚、図２０，図２１においては、上段がシャッタボタン１１によるオン、またはオフの状態を示しており、下段がAWBLボタンに設定されたカスタムボタン１３または１８のオン、またはオフの状態を示しており、いずれもＬｏｗがオン状態、Ｈｉがオフ状態を示している。
【０３１２】
すなわち、図２０の場合、時刻ｔ１１乃至ｔ１４の期間において、AWBLがオンとされ、同一のAWB調整値（＝Ｖ（ｔ１１））によるAWBが掛けられ続けるため、色温度が一定の状態とされる。
【０３１３】
＜動作例（その２）＞
また、例えば、図２１で示されるように、時刻ｔ３１において、シャッタボタン１１が半押し操作、または連写状態にされたときAWBLがオンの状態とされる。
【０３１４】
このとき、時刻ｔ３１の直前において求められたAWB調整値が更新されることなく、継続して記憶された状態となり、同一のAWB調整値（＝Ｖ（ｔ３１））によりAWBが掛けられ続けるが色温度は一定のままとなる。
【０３１５】
その後、時刻ｔ３２において、カスタムボタン１３または１８がオンにされたとき（押す間操作の場合、押す状態が開始されたとき、再押し操作の場合、１回目の押す操作がなされ、押す操作が解除されたとき）、AWBLはオンの状態が継続される。
【０３１６】
AWB調整値は、時刻ｔ３２において、カスタムボタン１３または１８がオンにされたタイミングにおけるAWB調整値（＝Ｖ（ｔ３２））に更新はされず、時刻ｔ３１の直前に求められ更新され記憶されたAWB調整値（＝Ｖ（ｔ３１））が掛けられ続ける。
【０３１７】
したがって、時刻ｔ３２においては、AWB調整値はAWB調整値（＝Ｖ（ｔ３１））のままとなり、色温度は一定となる。
【０３１８】
この後、時刻ｔ３３において、シャッタボタン１１の操作が終了しても、AWBLはオン状態のままとされる。
【０３１９】
そして、時刻ｔ３４において、カスタムボタン１３または１８がオフにされたとき（押す間操作の場合、押された状態から解放されたとき、再押し操作の場合、２回目に押す操作がなされて、押す操作が解除されたとき）、AWBLがオフの状態にされる。
【０３２０】
すなわち、基本的には、シャッタボタン１１による半押し操作、または連写状態にする操作、および、カスタムボタン１３または１８がオンの状態にする操作の少なくともいずれか一方の操作がなされる限り、AWBLがオンとされる。
【０３２１】
また、シャッタボタン１１による半押し操作、または連写状態にする操作、およびカスタムボタン１３または１８がオンにされる操作の両方の操作がなされないときにAWBLがオフにされる。
【０３２２】
したがって、図２１においては、時刻ｔ３１乃至ｔ３４の期間において、AWBLがオンとなり、同一のAWB調整値（＝Ｖ（ｔ３１））によるAWBが掛けられ続けるので、その間、色温度が一定の状態とされる。
【０３２３】
＜＜３．第２の実施の形態＞＞
以上においては、撮像装置１０の本体により撮像操作を行う例について説明してきたが、撮像装置１０の本体による操作に加えて、通信により、例えば、外部接続されたパーソナルコンピュータによりリモート操作するようにしてもよい。
【０３２４】
図２２は、撮像装置１０に外部接続されたパーソナルコンピュータ（PC）９１によりリモート操作できるようにした撮像システムの構成例を示している。図２２の撮像システムは、撮像装置１０、およびＰＣ９１より構成される。
【０３２５】
ＰＣ９１は、無線通信、または有線通信により撮像装置１０に対して外部接続されており、撮像装置１０のシャッタボタン１１やカスタムボタン１３または１８に相当するボタン等を遠隔操作することで、撮像装置１０のリモート操作を実現する。
【０３２６】
＜ＰＣの構成例＞
次に、図２３を参照して、ＰＣ９１の構成例について説明する。
【０３２７】
ＰＣ９１は、制御部１１１、操作部１１２、表示部１１３、記憶部１１４、通信部１１５、ドライブ１１６、およびリムーバブル記録媒体１１７を備えており、バス１１８により相互に接続されている。
【０３２８】
制御部１１１は、ＰＣ９１の動作の全体を制御しており、撮像装置１０をリモート操作するためのリモート制御部１２１を備えている。
【０３２９】
操作部１１２は、キーボードや操作ボタンなどからなり、ユーザの操作入力を受け付けるとともに受け付けた操作入力に対応する操作信号を制御部１１１に出力する。
【０３３０】
表示部１１３は、LCD（Liquid Crystal Display）や有機EL（Electro Luminescence）より構成され、制御部１１１の制御の下、各種の情報を表示する。
【０３３１】
記憶部１１４は、HDD（Hard Disc Drive）やSSD（Solid State Drive）などからなり、各種のデータやプログラムの読出しや書き込みを行う。
【０３３２】
通信部１１５は、LAN（Local Area Network）アダプタやBluetoothなどよりなり、インターネットに代表されるネットワークや近距離通信を介した通信処理を実行する。
【０３３３】
ドライブ１１６は、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブル記録媒体１１７に対してデータを読み書きする
【０３３４】
リモート制御部１２１は、通信部１１５を制御して、撮像装置１０と通信し、撮像装置１０の表示部５０に表示される画像の情報を取得して、表示部１１３に表示する。
【０３３５】
また、リモート制御部１２１は、表示部１１３を制御して、撮像装置１０をリモート操作するためのシャッタボタン１１等のUI（User Interface）画像を表示する。
【０３３６】
そして、リモート制御部１２１は、操作部１１２の操作信号に基づいたUI画像の操作内容に応じて、撮像装置１０の操作部５２の操作信号に対応する操作信号を供給し、撮像装置１０のシャッタボタン１１やカスタムボタン１３または１８と同様の操作をリモート操作により実現する。
【０３３７】
＜UI画像の表示例＞
次に、図２４を参照して、リモート制御部１２１が表示部１１３を制御して表示するリモート操作を実現するためのUI画像の表示例について説明する。
【０３３８】
UI画像は、例えば、図２４の上部で示されるように、表示部１１３上に表示され、操作パネル部１５１、および画像表示部１５２を備える。
【０３３９】
操作パネル１５１は、操作ブロック１６１、および設定ブロック１６２を備えており、撮像装置１０を操作させるのに必要なボタンが表示されている。
【０３４０】
操作ブロック１６１は、シャッタボタン１１等に相当する操作ボタンが配置されており、ポインタにより操作することができる。
【０３４１】
より詳細には、操作ブロック１６１には、AELボタン１９１、FELボタン１９２、AWBLボタン１９３、AFボタン１９４、シャッタボタン１９５、録画ボタン１９６、およびタイマボタン１９７より構成される。
【０３４２】
AEL（Auto Exposure Lock）ボタン１９１は、AE（Auto Exposure）により設定された露出の状態を固定するとき操作されるボタンである。
【０３４３】
FEL（Flash Exposure Lock）ボタン１９２は、フラッシュの発光量を固定して、発光量に応じて露出を固定するとき操作されるボタンである。
【０３４４】
AWBL（Auto White Balance Lock）ボタン１９３は、AWB（Auto White Balance）をロックさせるとき操作されるボタンである。
【０３４５】
AF（Auto Focus）ボタン１９４は、AFを動作させるとき操作されるボタンである。
【０３４６】
シャッタボタン１９５は、シャッタボタン１１の全押し操作に対応する動作をするとき操作されるボタンである。
【０３４７】
録画ボタン１９６は、動画を撮像するとき操作されるボタンであり、動画撮像が開始されると停止ボタンに変化し、停止ボタンが操作されると動画撮像が終了し、再び録画ボタン１９６に戻る。
【０３４８】
タイマボタン１９７は、タイマ撮像の際に使用されるボタンである。
【０３４９】
AELボタン１９１乃至タイマボタン１９７は、いずれもポインタにより、押す操作に対応する操作のみが可能とされている。
【０３５０】
このため、例えば、AELボタン１９１、FELボタン１９２、およびAWBLボタン１９３は、再押し操作のみが可能とされ、１回目の操作でロックが掛けられ、２回目の操作でロックが解除される。
【０３５１】
また、撮像装置１０のカスタムボタン１３または１８に再押し操作によるAWBLボタンが設定されている場合、AWBLボタン１９３により１回目の操作でAWBLがオンの状態にされたときには、撮像装置１０のカスタムボタン１３または１８が操作されることにより、AWBLをオフの状態に解除することができる。
【０３５２】
同様に、撮像装置１０のカスタムボタン１３または１８に再押し操作によるAWBLボタンが設定されている場合、AWBLボタンに設定されたカスタムボタン１３または１８により１回目の操作でAWBLがオンの状態にされたときには、AWBLボタン１９３が操作されることにより、AWBLをオフの状態に解除することができる。
【０３５３】
また、リモート制御部１２１は、ロックが掛けられた状態になると、表示部１１３により表示されるUI画像を制御して表示色を変化させる。
【０３５４】
例えば、AWBLボタン１９３は、１回目の操作によりロックが掛けられると、図２４の下部で示されるように、ボタンが所定の色で表示され、２回目の操作によりロックが解除されると、図２４の上部で示されるように、元の色で表示される。これにより、ユーザは、AWBLボタン１９３により、AWBロックが掛けられている状態であることを視覚的に認識することが可能となる。
【０３５５】
設定ブロック１６２は、撮像モード、シャッタスピード、Ｆ値、露出、ISO感度、ドライブモード、フォーカスモード、測光モード、およびロックオンフォーカスモード、フォーカスエリア、AWB、DRO（Dynamic Range Optimizer）、画像の仕上がりであるクリエイティブスタイルのモード、およびピクチャーエフェクトのモード等を示すアイコンやヒストグラム表示欄等からなる。
【０３５６】
設定ブロック１６２のアイコンのそれぞれはポインタにより選択することが可能な構成とされており、選択されると、図示せぬ設定画面が表示されて、ポインタやキーボード等により設定することができる。
【０３５７】
画像表示部１５２には、撮像装置１０より供給されるライブビュー画像が表示される。
【０３５８】
尚、リモート操作については、撮像装置１０のカスタムボタン１３または１８に再押し操作のAWBLボタンが設定された場合の操作と、同様の動作となるため、AWBL制御処理の説明は省略する。
【０３５９】
また、以上においては、AELボタン１９１乃至タイマボタン１９７は、いずれも再押し操作にのみ対応する例について説明してきたが、UI画像上におけるボタン操作においても半押し操作を実現させるようにしてもよい。
【０３６０】
例えば、ポインタがUI画像上のシャッタボタン１９５上に移動された場合、半押し操作とみなされるようにし、さらに、クリックされたとき全押し操作されたとみなされるようにして、外部機器であるＰＣ９１においてもシャッタボタン１９５の半押し操作を実現させるようにしてもよい。
【０３６１】
ＰＣ９１を用いたリモート操作においても、シャッタAWB設定処理やカスタムボタン設定処理に対応する処理による設定が可能であるので、ユーザの所望とする適切なAWBロックを実現することが可能となる。
【０３６２】
＜２つのAWBLボタンが設定された場合の動作＞
以上のように、カスタムボタン１３および１８のそれぞれに、再押し操作のAWBLボタンと、押す間操作のAWBLボタンとが割り付けられる場合には、２種類のAWBLボタンが割り付けられることになる。
【０３６３】
同様に、リモート操作が可能な構成の場合に、カスタムボタン１３または１８のいずれかにAWBLボタンが押す間操作で割り付けられると、リモート操作における表示部１１３上に表示される操作パネル１５１における操作ブロック１６１上の再押し操作のAWBLボタン１９３と併せて、やはり２個のAWBLボタンが設けられることになる。
【０３６４】
このような場合、２つのカスタムボタン１３，１８の操作や、ＰＣ９１上のAWBLボタン１９３、およびカスタムボタン１３または１８の操作とのそれぞれにより操作することができる。
【０３６５】
ただし、この場合、図２５で示されるように、AWBLがオフの状態（状態Ｓｔ１１）、押す間操作によるAWBLがオンの状態（状態Ｓｔ１２）、および再押し操作によるAWBLがオンの状態（状態Ｓｔ１３）の３つの状態となる。
【０３６６】
それぞれの状態遷移は、図２５で示されるようなものとなる。
【０３６７】
すなわち、AWBLがオフの状態（状態Ｓｔ１１）において、押す間操作のAWBLボタン（カスタムボタン１３または１８に設定されたボタン）が操作された場合、状態は、押す間操作によるAWBLがオンの状態（状態Ｓｔ１２）に遷移する。
【０３６８】
また、AWBLがオフの状態（状態Ｓｔ１１）において、再押し操作のAWBLボタン（カスタムボタン１３または１８に設定されたボタン、または、AWBLボタン１９３）が操作された場合、状態は、再押し操作によるAWBLがオンの状態（状態Ｓｔ１３）に遷移する。
【０３６９】
さらに、押す間操作によるAWBLがオンの状態（状態Ｓｔ１２）において、押す間操作のAWBLボタン（カスタムボタン１３または１８に設定されたボタン）の操作が解除された場合、状態は、AWBLがオフの状態（状態Ｓｔ１１）に遷移する。
【０３７０】
また、押す間操作によるAWBLがオンの状態（状態Ｓｔ１２）において、再押し操作のAWBLボタン（カスタムボタン１３または１８に設定されたボタン、または、AWBLボタン１９３）が操作された場合、状態は、再押し操作によるAWBLがオンの状態（状態Ｓｔ１３）に遷移する。
【０３７１】
さらに、再押し操作によるAWBLがオンの状態（状態Ｓｔ１３）において、押す間操作のAWBLボタン（カスタムボタン１３または１８に設定されたボタン）が操作された場合、状態は、押す間操作によるAWBLがオンの状態（状態Ｓｔ１２）に遷移する。
【０３７２】
また、再押し操作によるAWBLがオンの状態（状態Ｓｔ１３）において、再押し操作のAWBLボタン（カスタムボタン１３または１８に設定されたボタン、または、AWBLボタン１９３）が操作された場合（２回目の操作がなされた場合）、状態は、AWBLがオフの状態（状態Ｓｔ１１）に遷移する。
【０３７３】
このような状態遷移により、押す間操作のAWBLボタンと、再押し操作のAWBLボタンとの２種類のAWBLボタンが設定されても、AWBLのオンまたはオフは制御することが可能となる。
【０３７４】
結果として、２種類のAWBLボタンを使い分けることにより、ユーザの所望とする適切なAWBロックを実現することが可能となる。
【０３７５】
＜＜４．ソフトウェアにより実行させる例＞＞
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のコンピュータなどに、記録媒体からインストールされる。
【０３７６】
図２６は、汎用のコンピュータの構成例を示している。このコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０３７７】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブル記録媒体１０１１に対してデータを読み書きするドライブ１０１０が接続されている。
【０３７８】
CPU１００１は、ROM１００２に記憶されているプログラム、または磁気ディスク、光ディスク、光磁気ディスク、もしくは半導体メモリ等のリムーバブル記録媒体１０１１ら読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０３７９】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。
【０３８０】
コンピュータ（CPU１００１）が実行するプログラムは、例えば、パッケージメディア等としてのリムーバブル記録媒体１０１１に記録して提供することができる。また、プログラムは、ローカルエリアネットワーク、インターネット、デジタル衛星放送といった、有線または無線の伝送媒体を介して提供することができる。
【０３８１】
コンピュータでは、プログラムは、リムーバブル記録媒体１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０３８２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３８３】
尚、図２６におけるCPU１００１が、図８におけるマイクロコンピュータ４７の機能を実現させる。
【０３８４】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０３８５】
なお、本開示の実施の形態は、上述した実施の形態に限定されるものではなく、本開示の要旨を逸脱しない範囲において種々の変更が可能である。
【０３８６】
例えば、本開示は、１つの機能をネットワークを介して複数の装置で分担、共同して処理するクラウドコンピューティングの構成をとることができる。
【０３８７】
また、上述のフローチャートで説明した各ステップは、１つの装置で実行する他、複数の装置で分担して実行することができる。
【０３８８】
さらに、１つのステップに複数の処理が含まれる場合には、その１つのステップに含まれる複数の処理は、１つの装置で実行する他、複数の装置で分担して実行することができる。
【０３８９】
尚、本開示は、以下のような構成も取ることができる。
＜１＞  撮像に係る操作の入力を受け付ける操作部材と、
前記操作部材への所定の操作によりAWB（Auto White Balance）ロックを動作させるように設定する設定部と
を備える撮像装置。
＜２＞  前記操作部材は、シャッタボタンである
＜１＞に記載の撮像装置。
＜３＞  前記所定の操作は、前記シャッタボタンの半押し操作である
＜２＞に記載の撮像装置。
＜４＞  前記所定の操作は、前記シャッタボタンによる連写操作である
＜２＞に記載の撮像装置。
＜５＞  前記所定の操作は、前記シャッタボタンの半押し操作、および前記シャッタボタンによる連写操作を含み、
前記設定部は、前記AWBロックを、前記シャッタボタンの半押し操作により受け付ける第１のシャッタボタン操作モード、前記シャッタボタンによる連写操作により受け付ける第２のシャッタボタン操作モード、および前記シャッタボタンの操作からは受け付けない第３のシャッタボタン操作モードを切り替えて設定する
＜２＞に記載の撮像装置。
＜６＞  前記設定部は、前記第１のシャッタボタン操作モード乃至前記第３のシャッタボタン操作モードを選択する設定画像を表示し、前記設定画像のうち選択されたシャッタボタン操作モードに切り替えて設定する
＜５＞に記載の撮像装置。
＜７＞  前記操作部材は、AWBロックを動作させる機能が割り付けられたカスタムボタンである
＜１＞乃至＜６＞のいずれかに記載の撮像装置。
＜８＞  前記所定の操作は、前記カスタムボタンを全押し操作している間について、前記AWBロックを動作させる押す間操作である
＜７＞に記載の撮像装置。
＜９＞  前記所定の操作は、前記カスタムボタンが１回目の全押し操作がなされた後、操作が解除されたタイミングから、前記カスタムボタンが２回目の全押し操作がなされた後、操作が解除されたタイミングまでの間について、前記AWBロックを動作させる再押し操作である
＜７＞に記載の撮像装置。
＜１０＞  前記設定部は、前記カスタムボタンを全押し操作している間について、前記AWBロックを動作させる押す間操作を受け付ける第１のカスタムボタン操作モード、および前記カスタムボタンが１回目の全押し操作がなされた後、操作が解除されたタイミングから、前記カスタムボタンが２回目の全押し操作がなされた後、操作が解除されたタイミングまでの間について、前記AWBロックを動作させる再押し操作を受け付ける第２のカスタムボタン操作モードを切り替えて設定する
＜７＞に記載の撮像装置。
＜１１＞  前記設定部は、前記第１のカスタムボタン操作モードおよび前記第２のカスタムボタン操作モードを選択する設定画像を表示し、前記設定画像のうち選択されたカスタムボタン操作モードに切り替えて設定する
＜１０＞に記載の撮像装置。
＜１２＞  撮像された画像をライブビュー表示する表示部をさらに含み、
前記表示部は、前記カスタムボタンが操作されることにより、前記AWBロックが動作する場合、前記AWBロックが動作している状態であることを示す情報を表示する
＜７＞に記載の撮像装置。
＜１３＞  前記表示部は、前記カスタムボタンが操作されることにより、前記AWBロックが動作する場合、前記AWBロックが動作している状態であることを示すアイコンを表示する
＜１２＞に記載の撮像装置。
＜１４＞  画像を撮像する撮像部と、
前記撮像部により撮像された前記画像を解析し、解析結果に基づいてAWB調整値を算出するAWB調整値算出部と、
前記AWB調整値算出部により算出された前記AWB調整値を順次更新して記憶し、記憶した前記AWB調整値に基づいて、前記画像に対してAWBを掛けるAWB調整部とをさらに含み、
前記AWB調整部は、前記AWBロックがオンにされる場合、前記撮像部により前記画像が撮像される度に、前記AWB調整値算出部により算出された前記AWB調整値の更新を停止し、更新が停止される直前に記憶した前記AWB調整値に基づいて、前記画像に対してAWBを掛ける
＜７＞に記載の撮像装置。
＜１５＞  前記AWB調整部は、前記カスタムボタンが操作されることにより、前記AWBロックがオンにされる場合、既に前記AWBロックが掛けられていても、前記カスタムボタンが操作されたタイミングにおいて、前記撮像部により撮像された前記画像に基づいて、前記AWB調整値算出部により算出された前記AWB調整値により、記憶している前記AWB調整値を更新した後、前記AWB調整値の更新を停止し、更新が停止される直前に記憶した前記AWB調整値に基づいて、前記画像に対してAWBを掛ける
＜１４＞に記載の撮像装置。
＜１６＞  前記所定の操作は、通信により接続された外部機器からの操作信号を含む
＜１＞乃至＜１５＞のいずれかに記載の撮像装置。
＜１７＞  前記外部機器は、
UI（User Interface）画像を表示する表示部と、
前記UI画像に対する操作入力を受け付ける操作部とを含み、
前記UIは、前記操作部材に対応付けられた操作ボタンを表示し、
前記UI上に表示された操作ボタンに対する操作内容に応じて、前記AWBロックが制御される
＜１６＞に記載の撮像装置。
＜１８＞  前記UI上に表示された操作ボタンに対して、１回目の操作がなされたタイミングから前記AWBロックがオンの状態にされ、２回目の操作がなされたタイミングにおいて、前記AWBロックがオフの状態に制御される
＜１７＞に記載の撮像装置。
＜１９＞  撮像に係る操作の入力を受け付ける操作部材への所定の操作によりAWB（Auto White Balance）ロックを動作させるように設定する設定部と
AWBロックを設定する設定処理
を含む撮像方法。
＜２０＞  撮像に係る操作の入力を受け付ける操作部材と、
前記操作部材への所定の操作によりAWB（Auto White Balance）ロックを動作させるように設定する設定部と
してコンピュータを機能させるプログラム。
【符号の説明】
【０３９０】
１０  撮影装置，  １１  シャッタボタン（レリーズボタン），  １３，１８  カスタムボタン，  ２３  十字キー，  ４２  イメージセンサ，  ４７  マイクロコンピュータ，  ５２  操作部，  ７１  画像解析部，  ７２  AWB調整部，  ７３  WB制御部，  ７４設定部
【図１】
2020108057.tif 000003
【図２】
2020108057.tif 000004
【図３】
2020108057.tif 000005
【図４】
2020108057.tif 000006
【図５】
2020108057.tif 000007
【図６】
2020108057.tif 000008
【図７】
2020108057.tif 000009
【図８】
2020108057.tif 000010
【図９】
2020108057.tif 000011
【図１０】
2020108057.tif 000012
【図１１】
2020108057.tif 000013
【図１２】
2020108057.tif 000014
【図１３】
2020108057.tif 000015
【図１４】
2020108057.tif 000016
【図１５】
2020108057.tif 000017
【図１６】
2020108057.tif 000018
【図１７】
2020108057.tif 000019
【図１８】
2020108057.tif 000020
【図１９】
2020108057.tif 000021
【図２０】
2020108057.tif 000022
【図２１】
2020108057.tif 000023
【図２２】
2020108057.tif 000024
【図２３】
2020108057.tif 000025
【図２４】
2020108057.tif 000026
【図２５】
2020108057.tif 000027
【図２６】
2020108057.tif 000028